(57)【要約】【課題】時間的に連続する動画データを複数の記録媒体に分割して異なるファイル名で記録した場合でも、それら動画データを１つのものとして再生する。【解決手段】撮影で得た動画データを記録するメモリカード３８及び内蔵メモリ３９と、時間的に連続した一連の動画データを上記メモリカード３８及び内蔵メモリ３９に分割して記録し、分割した複数の動画データのうち時間的に前に位置する動画データに対して後ろに位置する動画ファイルのリンク情報を付加して記録し、再生時に上記リンク情報に基づいてメモリカード３８及び内蔵メモリ３９に分割して記録された動画データを時間的に連続して再生する制御部３２とを備える。【選択図】    図２
2004328034.tif 000002
【特許請求の範囲】
【請求項１】
動画撮影が可能な撮像装置において、
撮影により得た動画データファイルを記録する複数の記録手段と、
時間的に連続した一連の動画データファイルを上記複数の記録手段に分割して記録する第１の記録制御手段と、
この第１の記録制御手段で分割した複数の動画データファイルのうち、時間的に前に位置する動画データファイルに対して後ろに位置する動画ファイルの関連情報を付加して記録する第２の記録制御手段と
を具備したことを特徴とする撮像装置。
【請求項２】
再生時に上記第２の記録制御手段で記録した関連情報に基づいて複数の記録手段に分割して記録された動画データファイルを時間的に連続して再生することを特徴とする請求項１記載の撮像装置。
【請求項３】
上記第２の記録制御手段で記録した関連情報に基づいて、複数の記録手段に分割して記録された動画データファイルを時間的に連続した１つの動画データファイルとして外部機器に出力することを特徴とする請求項１記載の撮像装置。
【請求項４】
上記複数の記録手段のうち、上記一連の動画データファイルの容量以上の空き容量を有するものに対し、上記第２の記録制御手段で記録した関連情報に基づいて、分割して記録された動画データファイルを時間的に連続した１つの動画データファイルとして再記録する第３の記録制御手段をさらに具備したことを特徴とする請求項１記載の撮像装置。
【請求項５】
動画撮影が可能な撮像装置の記録制御方法において、
時間的に連続した一連の動画データファイルを複数の記録手段に分割して記録する第１の記録制御工程と、
この第１の記録制御工程で分割した複数の動画データファイルのうち、時間的に前に位置する動画データファイルに対して後ろに位置する動画ファイルの関連情報を付加して記録する第２の記録制御工程と
を有したことを特徴とする動画ファイルの記録制御方法。
【請求項６】
動画撮影が可能な撮像装置に内蔵されたコンピュータが実行するプログラムにおいて、
時間的に連続した一連の動画データファイルを複数の記録手段に分割して記録する第１の記録制御ステップと、
この第１の記録制御ステップで分割した複数の動画データファイルのうち、時間的に前に位置する動画データファイルに対して後ろに位置する動画ファイルの関連情報を付加して記録する第２の記録制御ステップと
をコンピュータに実行させることを特徴とするプログラム。
【発明の詳細な説明】
【０００１】
【発明の属する技術分野】
本発明は、動画撮影が可能な撮像装置、動画ファイルの記録制御方法及びプログラムに関する。
【０００２】
【従来の技術】
近時、銀塩フィルムを用いたカメラに代わり、撮影した画像を電子データ化して記録することが可能なデジタルカメラが広く普及している。この種のデジタルカメラでは、ＣＣＤに代表される撮像素子の高画素化につれて、撮影により得られる画像データファイルの容量が大きくなり、記録媒体であるメモリカードにもより大容量のものが装着可能となっている。
【０００３】
加えて、この種のデジタルカメラでは、一般に静止画撮影のみならず動画撮影も行なうことが可能であり、画像サイズや連続撮影時間に機種毎の限定はあるものの、静止画のデータファイルに比してより大きな容量の動画のデータファイルを記録する必要があるので、装着可能な記録媒体の容量を大きくすることと併せて、装着可能な記録媒体の数を増やすことも要求されており、一部の機種では着脱可能なメモリカードの他にメモリを固定的に内蔵したものや、種類の異なるメモリカードを２枚装着可能としたものなどが販売されている。
【０００４】
また、電子カメラで、主として静止画撮影用のメモリカードと主として動画撮影用のＭＯディスク装置の２種類の記録媒体を備え、動画撮影時にＭＯディスクの残容量が不十分であると判定されると、記録媒体をメモリカードに切替えるようにとした技術も考えられている。（例えば、特許文献１参照。）
【０００５】
【特許文献１】
特開２００１−１３６４７５号公報
【０００６】
【発明が解決しようとする課題】
しかるに、２つの記録媒体にまたがって１つの動画のデータファイルを途中で切替えて記録させることを具体的に考えた場合、パーソナルコンピュータ等の外部の機器でのデータファイルの取扱い時に無用な重複を防ぐため、記録媒体毎に各データファイルに異なるファイル名を付加する必要がある。
【０００７】
そのため、２つの記録媒体にまたがって記録された、時間的に連続した動画のデータファイルは、再生時にはファイル名の異なる別のものとして取扱われることになる。
【０００８】
本発明は上記のような実情に鑑みてなされたもので、その目的とするところは、時間的に連続する動画のデータファイルを複数の記録媒体にまたがって記録した場合に、それら複数の記録媒体に記録された動画のデータファイルを１つのものとして再生することが可能な撮像装置、動画ファイルの記録制御方法及びプログラムを提供することにある。
【０００９】
【課題を解決するための手段】
請求項１記載の発明は、動画撮影が可能な撮像装置において、撮影により得た動画データファイルを記録する複数の記録手段と、時間的に連続した一連の動画データファイルを上記複数の記録手段に分割して記録する第１の記録制御手段と、この第１の記録制御手段で分割した複数の動画データファイルのうち、時間的に前に位置する動画データファイルに対して後ろに位置する動画ファイルの関連情報を付加して記録する第２の記録制御手段とを具備したことを特徴とする。
【００１０】
このような構成とすれば、付加された関連情報によりその動画データファイルと時間的に連続した他の動画データファイルがあることを認識できる。
【００１１】
請求項２記載の発明は、上記請求項１記載の発明において、再生時に上記第２の記録制御手段で記録した関連情報に基づいて複数の記録手段に分割して記録された動画データファイルを時間的に連続して再生することを特徴とする。
【００１２】
このような構成とすれば、上記請求項１記載の発明の作用に加えて、記録時の状況に応じて複数の記録手段に分割して記録された、それぞれファイル名の異なる動画データファイルを、再生する際には自動的に１つのものとして再生させることができる。
【００１３】
請求項３記載の発明は、上記請求項１記載の発明において、上記第２の記録制御手段で記録した関連情報に基づいて、複数の記録手段に分割して記録された動画データファイルを時間的に連続した１つの動画データファイルとして外部機器に出力することを特徴とする。
【００１４】
このような構成とすれば、上記請求項１記載の発明の作用に加えて、記録時の状況に応じて複数の記録手段に分割して記録された、それぞれファイル名の異なる動画データファイルを、外部機器に出力する際には自動的に１つのものとして出力させることができる。
【００１５】
請求項４記載の発明は、上記請求項１記載の発明において、上記複数の記録手段のうち、上記一連の動画データファイルの容量以上の空き容量を有するものに対し、上記第２の記録制御手段で記録した関連情報に基づいて、分割して記録された動画データファイルを時間的に連続した１つの動画データファイルとして再記録する第３の記録制御手段をさらに具備したことを特徴とする。
【００１６】
このような構成とすれば、上記請求項１記載の発明の作用に加えて、特に必要な空き容量を有する記録手段がある場合には、複数に分割された動画ファイルデータをあらためて時間的に連続した１つのものとして記録し直すようにしたため、はじめの記録時の記録手段の選択状況に限定されずに長時間に渡る動画データファイルを得ることができる。
【００１７】
請求項５記載の発明は、動画撮影が可能な撮像装置の記録制御方法において、時間的に連続した一連の動画データファイルを複数の記録手段に分割して記録する第１の記録制御工程と、この第１の記録制御工程で分割した複数の動画データファイルのうち、時間的に前に位置する動画データファイルに対して後ろに位置する動画ファイルの関連情報を付加して記録する第２の記録制御工程とを有したことを特徴とする。
【００１８】
このような方法とすれば、付加された関連情報によりその動画データファイルと時間的に連続した他の動画データファイルがあることを認識でき、再生時にそれを活用して１つの動画データファイルとして取扱うことが可能となる。
【００１９】
請求項６記載の発明は、動画撮影が可能な撮像装置に内蔵されたコンピュータが実行するプログラムにおいて、時間的に連続した一連の動画データファイルを複数の記録手段に分割して記録する第１の記録制御ステップと、この第１の記録制御ステップで分割した複数の動画データファイルのうち、時間的に前に位置する動画データファイルに対して後ろに位置する動画ファイルの関連情報を付加して記録する第２の記録制御ステップとをコンピュータに実行させることを特徴とする。
【００２０】
このようなプログラム内容とすれば、付加された関連情報によりその動画データファイルと時間的に連続した他の動画データファイルがあることを認識でき、再生時にそれを活用して１つの動画データファイルとして取扱うことが可能となる。
【００２１】
【発明の実施の形態】
（第１の実施の形態）
以下本発明を静止画撮影のみならず動画撮影も可能なデジタルカメラに適用した場合の第１の実施の形態について図面を参照して説明する。
【００２２】
図１は、その外観構成を示すもので、図１（Ａ）が主に前面の、図１（Ｂ）が主に背面の構成を示す斜視図である。
【００２３】
このデジタルカメラ１は、略矩形の薄板状ボディの前面に、撮影レンズ２、セルフタイマランプ３、光学ファインダ窓４、マイクロホン部５、ストロボ発光部６、及びラバーグリップ７を配設し、上面の（ユーザにとって）右端側には電源キー８及びシャッタキー９を配する。
【００２４】
ラバーグリップ７は、ユーザが撮影時にデジタルカメラ１を右手で筐体右側面側から把持した場合に右手中指、薬指、及び小指が確実に該筐体を把持できるように配設されたゴム製の帯状突起である。
【００２５】
電源キー８は、電源のオン／オフ毎に操作するキーであり、シャッタキー９は、撮影モード時に撮影タイミングを指示する。
【００２６】
また、デジタルカメラ１の背面には、モードスイッチ（ＳＷ）１０、スピーカ部１１、メニューキー１２、十字キー１３、セットキー１４、光学ファインダ１５、ストロボチャージランプ１６、及び表示部１７を配する。
【００２７】
モードスイッチ１０は、例えばスライドキースイッチにより構成され、基本モードである記録モード「Ｒ」と再生モード「Ｐ」とを切換える。
【００２８】
メニューキー１２は、各種メニュー項目等を選択させる際に操作する。
【００２９】
十字キー１３は、上下左右各方向へのカーソル移動用のキーが一体に形成されたものであり、表示されているメニュー項目等を移動させる際に操作する。
【００３０】
セットキー１４は、上記十字キー１３の中心位置に配置され、その時点で選択されているメニュー項目内容等を設定するために操作する。
【００３１】
ストロボチャージランプ１６は、光学ファインダ１５に近接して配設されたＬＥＤランプでなり、このデジタルカメラ１のユーザが光学ファインダ１５を覗いている場合と表示部１７を見ている場合のいずれであってもストロボのチャージ状態等をユーザに視認させる。
【００３２】
表示部１７は、バックライト付きのカラー液晶パネルで構成されるもので、記録モード時には電子ファインダとしてスルー画像のモニタ表示を行なう一方で、再生モード時には選択した画像等を再生表示する。
【００３３】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉｕａｌ  Ｂｕｓ）コネクタ等が設けられるものとする。
【００３４】
次いで図２により上記デジタルカメラ１の電子回路構成を説明する。
同図で、基本モードである記録モードにおいては、モータ（Ｍ）２１の駆動により合焦位置や絞り位置が移動される、上記撮影レンズ２を構成するレンズ光学系２２の撮影光軸後方に配置された撮像素子であるＣＣＤ２３が、タイミング発生器２４、垂直ドライバ２５によって走査駆動され、一定周期毎に結像した光像に対応する光電変換出力を１画面分出力する。
【００３５】
この光電変換出力は、アナログ値の信号の状態でＲＧＢの各原色成分毎に適宜ゲイン調整された後に、サンプルホールド回路（Ｓ／Ｈ）２６でサンプルホールドされ、Ａ／Ｄ変換器２７でデジタルデータに変換され、カラープロセス回路２８で画素補間処理及びγ補正処理を含むカラープロセス処理が行なわれて、デジタル値の輝度信号Ｙ及び色差信号Ｃｂ，Ｃｒが生成され、ＤＭＡ（ＤｉｒｅｃｔＭｅｍｏｒｙ  Ａｃｃｅｓｓ）コントローラ２９に出力される。
【００３６】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書込み、ＤＲＡＭインタフェース（Ｉ／Ｆ）３０を介してバッファメモリとして使用されるＤＲＡＭ３１にＤＭＡ転送を行なう。
【００３７】
制御部３２は、ＣＰＵと、後述する記録モード時の動画撮影及び再生モード時の動画再生を含む該ＣＰＵで実行される動作プログラムを固定的に記憶したＲＯＭ、及びワークメモリとして使用されるＲＡＭ等により構成され、このデジタルカメラ１全体の制御動作を司るもので、上記輝度及び色差信号のＤＲＡＭ３１へのＤＭＡ転送終了後に、この輝度及び色差信号をＤＲＡＭインタフェース３０を介してＤＲＡＭ３１より読出し、ＶＲＡＭコントローラ３３を介してＶＲＡＭ３４に書込む。
【００３８】
デジタルビデオエンコーダ３５は、上記輝度及び色差信号をＶＲＡＭコントローラ３３を介してＶＲＡＭ３４より定期的に読出し、これらのデータを元にビデオ信号を発生して上記表示部１７に出力する。
【００３９】
この表示部１７は、上述した如く記録モード時にはモニタ表示部（電子ファインダ）として機能するもので、デジタルビデオエンコーダ３５からのビデオ信号に基づいた表示を行なうことで、その時点でＶＲＡＭコントローラ３３から取込んでいる画像情報に基づく画像をリアルタイムに表示することとなる。
【００４０】
このように表示部１７にその時点での画像がモニタ画像としてリアルタイムに表示されている状態で、静止画撮影を行ないたいタイミングでキー入力部３６を構成する上記シャッタキー９を操作すると、トリガ信号を発生する。
【００４１】
制御部３２は、このトリガ信号に応じてその時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００４２】
この記録保存の状態では、制御部３２がＤＲＡＭ３１に書込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路３７に書込み、このＪＰＥＧ回路３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４３】
そして、得た符号データを１画像のデータファイルとして該ＪＰＥＧ回路３７から読出し、このデジタルカメラ１の記録媒体として着脱自在に装着されるメモリカード３８か、またはこのデジタルカメラ１に固定的に内蔵される内蔵メモリ３９のいずれか一方に書込む。
【００４４】
そして、１フレーム分の輝度及び色差信号の圧縮処理及びメモリカード３８または内蔵メモリ３９への全圧縮データの書込み終了に伴なって、制御部３２はＣＣＤ２３からＤＲＡＭ３１への経路を再び起動する。
【００４５】
また、制御部３２にはさらに、音声処理部４０、ＵＳＢインタフェース（Ｉ／Ｆ）４１、及びストロボ駆動部４２が接続される。
【００４６】
音声処理部４０は、ＰＣＭ音源等の音源回路を備え、音声の録音時には上記マイクロホン部（ＭＩＣ）５より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成してメモリカード３８または内蔵メモリ３９へ送出する一方、音声の再生時にはメモリカード３８または内蔵メモリ３９から送られてきた音声データファイルの圧縮を解いてアナログ化し、上記スピーカ部（ＳＰ）１１を駆動して、拡声放音させる。
【００４７】
ＵＳＢインタフェース４１は、ＵＳＢコネクタを介して有線接続されるパーソナルコンピュータ等の他の外部機器との間で画像データファイルその他の送受を行なう場合の通信制御を行なう。
【００４８】
ストロボ駆動部４２は、静止画撮影時に図示しないストロボ用の大容量コンデンサを充電した上で、制御部３２からの制御に基づいて上記ストロボ発光部６を閃光駆動する。
【００４９】
なお、上記キー入力部３６は、上述したシャッタキー９の他に、上記電源キー８、モードスイッチ１０、メニューキー１２、十字キー１３及びセットキー１４等から構成され、それらのキー操作に伴なう信号は直接制御部３２へ送出される。
【００５０】
しかるに、静止画ではなく動画の撮影時においては、キー入力部３６のシャッタキー９が操作され続けている間、上述した静止画データをＪＰＥＧ回路３７でデータ圧縮した静止画データファイルのメモリカード３８または内蔵メモリ３９への記録を時間的に連続して実行し、該シャッタキー９の操作が終わるか、または所定の制限時間、例えば３０秒が経過した時点でそれら一連の静止画データファイルを一括してモーションＪＰＥＧのデータファイル（ＡＶＩデータファイル）として設定し直す。
【００５１】
また、基本モードである再生モード時には、制御部３２がメモリカード３８または内蔵メモリ３９に記録されている画像データを選択的に読出し、ＪＰＥＧ回路３７で記録モード時にデータ圧縮した手順と全く逆の手順で圧縮されている画像データを伸長し、伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読出してビデオ信号を発生し、上記表示部１７で再生出力させる。
【００５２】
選択した画像データファイルが静止画ではなく動画であった場合、選択した動画データファイルを構成する個々の静止画データの再生を時間的に連続して実行し、すべての静止画データの再生を終了した時点で、次に再生の指示がなされるまで先頭に位置する静止画データのみを用いて再生表示する。
【００５３】
次に上記実施の形態の動作について説明する。
ここで、メモリカード３８が装着されている場合には、このデジタルカメラ１のユーザが選択したメモリカード３８と内蔵メモリ３９のいずれか一方を用いて先に動画データファイルの記録を開始し、その選択された側のメモリの残容量がなくなっても記録を続行する際には、他方のメモリに残容量があることを確認した上でメモリの切換えを行なうものとする。
【００５４】
なお、以下に示す各処理は、基本的に制御部３２が予め固定記憶しているプログラムに基づいて実行するものである。
【００５５】
図３は、基本モードである記録モード時の動画撮影に関する処理内容を示すもので、その当初にはキー入力部３６のシャッタキー９の押圧操作がなされたか否かを繰返し判断することで、動画撮影の開始が指示されるのを待機する（ステップＡ０１）。
【００５６】
そして、シャッタキー９が押圧操作された時点でステップＡ０１によりこれを判断し、メモリカード３８と内蔵メモリ３９のうち、ユーザに選択されている方のメモリの書込みアドレス制御を行ないながら動画の一部となる静止画のデータを記録する（ステップＡ０２）。
【００５７】
次いで、その時点で使用しているメモリに空き容量が一定量、具体的には後述するリンク情報を書込むための容量以上が残っているか否か判断し（ステップＡ０３）、残っていれば、まだシャッタキー９が押圧操作され続けているか否か、予め設定された動画の最大時間、例えば３０［秒］を経過していないか否かを判断して（ステップＡ０６，Ａ０７）、それらに該当しなければ再び上記ステップＡ０２からの処理に戻ることで、動画撮影を続行する。
【００５８】
また、動画撮影の途中で上記ステップＡ０３においてその時点で使用しているメモリの空き容量が一定量しかないと判断した場合には、次にその時点で使用していない他方のメモリに動画撮影を続行するような空き容量があるか否かを判断し（ステップＡ０４）、あると判断した場合にのみ、使用するメモリを切換えるためのアドレス制御処理を実行した上で（ステップＡ０５）、上記ステップＡ０６からの処理に進む。
【００５９】
しかして、上記ステップＡ０４で切換えるべき他方のメモリに動画撮影を続行するような空き容量がないと判断した場合、上記ステップＡ０６でシャッタキー９の押圧操作が解除されたと判断した場合、及び上記ステップＡ０７で予め設定された動画の最大時間、例えば３０［秒］を経過したと判断した場合には、動画撮影を終了し（ステップＡ０８）、次にその撮影を終了した動画のデータがメモリカード３８と内蔵メモリ３９の２つのメモリにわたっているか否かを判断する（ステップＡ０９）。
【００６０】
ここで、その撮影を終了した動画のデータがメモリカード３８と内蔵メモリ３９の２つのメモリにわたっていると判断した場合には、先に記録を行なった方のメモリにこれら動画のデータを連続して再生するためのリンク情報をテキストデータファイルとして付加設定した上で、２つのメモリにそれぞれ個別のファイル名を設定して動画データファイルの設定処理を行ない（ステップＡ１０）、以上で一連の動画撮影の記録処理を終えて、再び上記ステップＡ０１からの処理に戻り、次の動画撮影が指示されるのを待機する。
【００６１】
図４は、先にメモリカード３８を指定した状態で動画撮影を開始し、撮影途中でメモリカード３８の残容量がなくなったために使用メモリを内蔵メモリ３９に切換えて動画撮影を続行した場合の動画データファイルの記録状態を例示するものである。
【００６２】
この場合、メモリカード３８にはファイルの名称が「ファイル名１」である「動画データファイル１」が、内蔵メモリ３９にはファイルの名称が「ファイル名２」である「動画データファイル２」がそれぞれ記録されると共に、特に時間的に先に記録を行なったメモリカード３８には、これら「動画データファイル１」「動画データファイル２」を関連付けて撮影時の順序に従って連続再生するべくリンク情報のテキストデータファイルが付加設定される。
【００６３】
また、上記ステップＡ０９で撮影を終了した動画のデータがメモリカード３８と内蔵メモリ３９の２つのメモリにわたっていないと判断した場合には、いずれか記録を行なった一方のメモリでのみ、その動画データファイルの設定処理を行ない（ステップＡ１１）、以上で一連の動画撮影の記録処理を終えて、再び上記ステップＡ０１からの処理に戻り、次の動画撮影が指示されるのを待機する。
【００６４】
次に、図５により基本モードである再生モード時の動画再生に関する処理内容を説明する。同図では、まず再生する動画データファイルが選択されるのを待機し（ステップＢ０１）、選択されたと判断した時点で、次にその選択された動画データファイルにリンク情報となるテキストデータファイルが付加設定されているか否かを判断する（ステップＢ０２）。
【００６５】
ここで、テキストデータファイルが付加設定されていると判断した場合には、そのリンク情報の内容にしたがってメモリカード３８と内蔵メモリ３９の検索を行ない（ステップＢ０３）、双方に対応する動画データファイルがそれぞれ記録されていることを確認した上で（ステップＢ０４）、リンク情報通り２つの動画データファイルを正しい順序で時間的に連続して再生し（ステップＢ０５）、その再生を終了した時点で再び次の動画再生を待機するべく上記ステップＢ０１からの処理に戻る。
【００６６】
また、上記ステップＢ０２で選択した動画データファイルにテキストデータファイルが設定されておらず、この選択した動画データファイルを先にして時間的に連続する他の動画データファイルがないと判断した場合、及びテキストデータファイルは付加設定されているものの、メモリカード３８の交換あるいはデータファイルの消去によりステップＢ０４でそのリンク情報に対応する動画データファイルがメモリカード３８と内蔵メモリ３９の双方共にないと判断した場合には、上記ステップＢ０１で選択されたと判断した動画データファイルのみを単独で再生し（ステップＢ０６）、その再生を終了した時点で再び次の動画再生を待機するべく上記ステップＢ０１からの処理に戻る。
【００６７】
このように、選択した動画データファイルにリンク情報のテキストデータファイルが付加設定されているか否かにより、その動画データファイルを先として時間的に連続する他の動画データファイルがあるかないかを認識でき、再生モード時にはメモリカード３８と内蔵メモリ３９に分割して記録された、それぞれファイル名の異なる動画データファイルを正しい順序で自動的に１つのものとして再生させることができる。
【００６８】
次いで、このデジタルカメラ１を外部機器、例えばパーソナルコンピュータと接続して、メモリカード３８及び内蔵メモリ３９に記録しているデータファイルをパーソナルコンピュータに取込む場合の動作について説明する。
【００６９】
この場合、外部機器であるパーソナルコンピュータにはデジタルカメラ１に対応するデータファイル取込み用のソフトウェアを予めインストールしておく。
【００７０】
図７（Ａ）に示すようにデジタルカメラ１とパーソナルコンピュータＰＣの電源を共に投入している状態でデジタルカメラ１とパーソナルコンピュータＰＣそれぞれのＵＳＢコネクタ間をＵＳＢケーブルＣＢ１で接続すると、自動的にデータファイルの取込み動作を開始するものとする。
【００７１】
図６は、このときデジタルカメラ１側の制御部３２が電源投入された状態で予め固定記憶しているプログラムに基づいて実行する処理内容を示すものである。
【００７２】
その処理当初には、ＵＳＢコネクタにＵＳＢケーブルＣＢ１が接続されるのを常時待機している（ステップＣ０１）。
【００７３】
パーソナルコンピュータＰＣとＵＳＢケーブルＣＢ１による接続があった時点でＵＳＢインタフェース４１からの検出信号によりステップＣ０１でこれを判断し、メモリカード３８及び内蔵メモリ３９に記録しているすべてのデータファイルと、パーソナルコンピュータＰＣ内の所定のデータフォルダ内にすでに取込まれているすべてのデータファイルとを相互参照する（ステップＣ０２）。
【００７４】
その上で、メモリカード３８及び内蔵メモリ３９に記録しているデータファイルでまだパーソナルコンピュータＰＣへの取込みを終えていないものがあるか否かを判断し（ステップＣ０３）、あると判断した場合にはそのうちの１つを選択する（ステップＣ０４）。
【００７５】
次いで、選択したデータファイルが動画のデータファイルであるか否かを判断し（ステップＣ０５）、そうでなければ、無条件にその選択したデータファイルを単独でパーソナルコンピュータＰＣへと転送出力する（ステップＣ１０）。
【００７６】
この際、併せてメモリカード３８または内蔵メモリ３９に記録されている当該ファイルを転送済みになったものとして処理した上で、再び上記ステップＣ０３からの処理に戻り、まだパーソナルコンピュータＰＣへの取込みを終えていない未転送のデータファイルに関する処理を実行する。
【００７７】
また、上記ステップＣ０５で選択したデータファイルが動画のデータファイルであると判断した場合には、次にその選択した動画データファイルにリンク情報となるテキストデータファイルが付加設定されているか否かを判断する（ステップＣ０６）。
【００７８】
ここで、テキストデータファイルが付加設定されていると判断した場合には、そのリンク情報の内容にしたがってメモリカード３８と内蔵メモリ３９の検索を行ない（ステップＣ０７）、対応する動画データファイルが記録されていることを確認した上で（ステップＣ０８）、リンク情報通り２つの動画データファイルを１つのデータファイルであるものとして、先に記録された方の動画データファイルのファイル名により設定し直してパーソナルコンピュータＰＣへ転送出力する（ステップＣ０９）。
【００７９】
この場合も、併せてメモリカード３８または内蔵メモリ３９に記録されている対応する２つの動画データファイルを転送済みになったものとして処理した上で、再び上記ステップＣ０３からの処理に戻り、まだパーソナルコンピュータＰＣへの取込みを終えていない未転送のデータファイルに関する処理を実行する。
【００８０】
さらに、上記ステップＣ０６で選択した動画データファイルにテキストデータファイルが設定されておらず、この選択した動画データファイルを先にして時間的に連続する他の動画データファイルがないと判断した場合、及びテキストデータファイルは付加設定されているものの、メモリカード３８の交換あるいはデータファイルの消去によりステップＣ０８でそのリンク情報に対応する動画データファイルがメモリカード３８と内蔵メモリ３９の双方共にないと判断した場合には、上記ステップＣ０４で選択した未転送の動画データファイルを単独でパーソナルコンピュータＰＣへ転送出力し（ステップＣ１０）、その後再び上記ステップＣ０３からの処理に戻る。
【００８１】
そして、上記ステップＣ０３でメモリカード３８及び内蔵メモリ３９に記録しているデータファイルでまだパーソナルコンピュータＰＣへの取込みを終えていないものがもうないと判断した時点で、ＵＳＢケーブルＣＢ１を用いてのパーソナルコンピュータＰＣとの接続に対する処理をすべて終了し、接続状態を断つ切断処理を実行した上で（ステップＣ１１）、次に接続状態となるのを待機するべくステップＣ０１からの処理に戻る。
【００８２】
このように、記録時の状況に応じてメモリカード３８と内蔵メモリ３９に分割して記録された、ファイル名の異なる２つの動画データファイルを、パーソナルコンピュータＰＣに出力する際には自動的に１つのものとして出力させるものとした。
【００８３】
これにより、複数の静止画データから構成されているために特にデータ量が大きく、本来は時間的に連続したものでありながら、２つのメモリに分割して記録せざるを得ない動画データファイルも、自動的にパーソナルコンピュータＰＣでは１つのデータファイルとして取込むことができ、以後のデータの取扱いが容易となる。
【００８４】
なお、上記図６及び図７（Ａ）はデジタルカメラ１とパーソナルコンピュータＰＣをＵＳＢケーブルＣＢ１で接続した場合について説明したが、図７（Ｂ）に示すように２台のデジタルカメラ１，１をＵＳＢケーブルＣＢ２により接続した場合にも、例えば装着しているメモリカード３８の空き容量が大きい方をホスト側としてそのホスト側のデジタルカメラ１にデバイス側となるデジタルカメラ１の記録しているデータファイルを取込むものとしてもよい。
【００８５】
また、複数の機器を接続する手段としては、上記図７（Ａ），（Ｂ）に示したＵＳＢケーブルＣＢ１，２のようなシリアルインタフェース規格に基づく有線接続によるものだけではなく、Ｂｌｕｅｔｏｏｔｈ（登録商標）等の無線ＬＡＮインタフェースに対応するものであってもよい。
【００８６】
（第２の実施の形態）
以下本発明を静止画撮影のみならず動画撮影も可能なデジタルカメラに適用した場合の第２の実施の形態について図面を参照して説明する。
【００８７】
なお、その外観構成は上記図１と、電子回路構成は上記図２とそれぞれ基本的に同様であるものとして、同一部分には同一符号を付加してその図示と説明は省略する。
【００８８】
次に上記実施の形態の動作について説明する。
【００８９】
ここで、メモリカード３８が装着されている場合には、このデジタルカメラ１のユーザが選択したメモリカード３８と内蔵メモリ３９のいずれか一方を用いて先に動画データファイルの記録を開始し、その選択された側のメモリの残容量がなくなっても記録を続行する際には、他方のメモリに残容量があることを確認した上でメモリの切換えを行なうものとする。
【００９０】
なお、以下に示す各処理は、基本的に制御部３２が予め固定記憶しているプログラムに基づいて実行するものである。
【００９１】
図８は、基本モードである記録モード時の動画撮影に関する処理内容を示すもので、その当初にはキー入力部３６のシャッタキー９の押圧操作がなされたか否かを繰返し判断することで、動画撮影の開始が指示されるのを待機する（ステップＤ０１）。
【００９２】
そして、シャッタキー９が押圧操作された時点でステップＤ０１によりこれを判断し、メモリカード３８と内蔵メモリ３９のうち、ユーザに選択されている方のメモリの書込みアドレス制御を行ないながら動画の一部となる静止画のデータを記録する（ステップＤ０２）。
【００９３】
次いで、その時点で使用しているメモリに空き容量が一定量、具体的には後述するリンク情報を書込むための容量以上が残っているか否か判断し（ステップＤ０３）、残っていれば、まだシャッタキー９が押圧操作され続けているか否か、予め設定された動画の最大時間、例えば３０［秒］を経過していないか否かを判断して（ステップＤ０６，Ｄ０７）、それらに該当しなければ再び上記ステップＤ０２からの処理に戻ることで、動画撮影を続行する。
【００９４】
また、動画撮影の途中で上記ステップＤ０３においてその時点で使用しているメモリの空き容量が一定量しかないと判断した場合には、次にその時点で使用していない他方のメモリに動画撮影を続行するような空き容量があるか否かを判断し（ステップＤ０４）、あると判断した場合にのみ、使用するメモリを切換えるためのアドレス制御処理を実行した上で（ステップＤ０５）、上記ステップＤ０６からの処理に進む。
【００９５】
しかして、上記ステップＤ０４で切換えるべき他方のメモリに動画撮影を続行するような空き容量がないと判断した場合、上記ステップＤ０６でシャッタキー９の押圧操作が解除されたと判断した場合、及び上記ステップＤ０７で予め設定された動画の最大時間、例えば３０［秒］を経過したと判断した場合には、動画撮影を終了し（ステップＤ０８）、次にその撮影を終了した動画のデータがメモリカード３８と内蔵メモリ３９の２つのメモリにわたっているか否かを判断する（ステップＤ０９）。
【００９６】
ここで、その撮影を終了した動画のデータがメモリカード３８と内蔵メモリ３９の２つのメモリにわたっていると判断した場合には、次に今回の動画撮影により分割して記録した動画データのうち、先に記録した側のメモリに記録されている動画データの量と、後に記録した側のメモリの空き容量とをチェックした上で（ステップＤ１０）、先に記録した動画データを後に記録したメモリにあらためて記録し直すことが可能であるか否かを判断する（ステップＤ１１）。
【００９７】
ここで、先に記録した側のメモリに記録されている動画データの量が、後に記録した側のメモリの空き容量以下であり、２つの動画データを後に記録した側のメモリに記録し直すことが可能であると判断した場合には、あらためて分割して記録した２つの動画データを後に記録した側のメモリに纏めて１つの動画データファイルとして纏めて記録し直し、その後に先に記録した側のメモリの動画データを消去した上で（ステップＤ１２）、以上で一連の動画撮影の記録処理を終えて、再び上記ステップＤ０１からの処理に戻り、次の動画撮影が指示されるのを待機する。
【００９８】
また、上記ステップＤ１１で先に記録した側のメモリに記録されている動画データの量が、後に記録した側のメモリの空き容量より大きく、２つの動画データを後に記録した側のメモリに記録し直すことは不可能であると判断した場合には、上記図４でも示したように、そのまま先に記録を行なった側のメモリにこれら動画のデータを連続して再生するためのリンク情報をテキストデータファイルとして付加設定した上で、２つのメモリにそれぞれ個別のファイル名を設定して動画データファイルの設定処理を行ない（ステップＤ１３）、以上で一連の動画撮影の記録処理を終えて、再び上記ステップＤ０１からの処理に戻り、次の動画撮影が指示されるのを待機する。
【００９９】
さらに、上記ステップＤ０９で撮影を終了した動画のデータがメモリカード３８と内蔵メモリ３９の２つのメモリにわたっていないと判断した場合には、いずれか記録を行なった一方のメモリでのみ、その動画データファイルの設定処理を行ない（ステップＤ１４）、以上で一連の動画撮影の記録処理を終えて、再び上記ステップＤ０１からの処理に戻り、次の動画撮影が指示されるのを待機する。
【０１００】
このように、記録時当初に選択していた側のメモリの空き容量が充分ではなく、２つのメモリにまたがって一連の動画データファイルを分割して記録した場合であっても、記録時当初に選択していなかった側のメモリの空き容量が十分ある場合には、記録後の処理として分割して記録された２つの動画データをまとめて１つの動画データファイルとして自動的に記録し直すものとした。
【０１０１】
これにより、記録時当初のメモリの選択状況に限定されずに、時間的に連続した一連の動画データファイルを異なるファイル名で分割して記録してしまう可能性を低減し、データ量の大きな動画データファイルの扱いをより容易にできる。
【０１０２】
なお、上記第１及び第２の実施の形態ではいずれも、デジタルカメラ１に対して着脱可能なメモリカード３８とデジタルカメラ１に固定的に設けた内蔵メモリ３９の２つのメモリに動画データファイルを記録する場合について説明したが、例えば内蔵メモリに加えて２枚のメモリカードを装着可能で計３つの（半導体）メモリに記録可能なもの、あるいは半導体メモリに限らず、ハードディスク装置やＭＯディスク装置等を含む３つ以上の記録媒体を有するものであっても、同様の考え方により対応することができる。
【０１０３】
その場合、記録媒体毎に分割して記録した各動画データファイルに対して、時間的に先頭に位置する動画データファイルに他の動画データファイルのリンク情報を一括して付加設定するのではなく、時間的に連続する直後の動画データファイルのリンク情報のみをそれぞれ付加設定することで、一連の動画データファイルの一部が記録媒体の交換やファイルの消去等により損なわれてしまったとしても、残りの動画データファイルを連続して再生または出力することができる。
【０１０４】
これは例えば、時間的に連続した「１」〜「３」の動画データファイルが分割して記録された場合、「１」の動画データファイルに「２」の動画データファイルのリンク情報を付加設定し、「２」の動画データファイルに「３」の動画データファイルのリンク情報を付加設定することで、その後に「１」の動画データファイルが失われてしまったとしても、「２」と「３」の動画データファイルを連続して再生または出力できるようになるものである。
【０１０５】
また、上記第１及び第２の実施の形態は、いずれも本発明をデジタルカメラに適用した場合について説明したものであるが、本発明はこれに限らず、複数の記録媒体を備えるような動画撮影機能付きの電子機器、例えばカメラ付きの携帯電話機やＰＤＡ（Ｐｅｒｓｏｎａｌ  Ｄｉｇｉｔａｌ  Ａｓｓｉｓｔａｎｔ：個人向け携帯情報端末）などでも容易に適用可能となる。
【０１０６】
その他、本発明は上記実施の形態に限らず、その要旨を逸脱しない範囲内で種々変形して実施することが可能であるものとする。
【０１０７】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【０１０８】
【発明の効果】
請求項１記載の発明によれば、付加された関連情報によりその動画データファイルと時間的に連続した他の動画データファイルがあることを認識できる。
【０１０９】
請求項２記載の発明によれば、上記請求項１記載の発明の効果に加えて、記録時の状況に応じて複数の記録手段に分割して記録された、それぞれファイル名の異なる動画データファイルを、再生する際には自動的に１つのものとして再生させることができる。
【０１１０】
請求項３記載の発明によれば、上記請求項１記載の発明の効果に加えて、記録時の状況に応じて複数の記録手段に分割して記録された、それぞれファイル名の異なる動画データファイルを、外部機器に出力する際には自動的に１つのものとして出力させることができる。
【０１１１】
請求項４記載の発明によれば、上記請求項１記載の発明の効果に加えて、特に必要な空き容量を有する記録手段がある場合には、複数に分割された動画ファイルデータをあらためて時間的に連続した１つのものとして記録し直すようにしたため、はじめの記録時の記録手段の選択状況に限定されずに長時間に渡る動画データファイルを得ることができる。
【０１１２】
請求項５記載の発明によれば、付加された関連情報によりその動画データファイルと時間的に連続した他の動画データファイルがあることを認識でき、再生時にそれを活用して１つの動画データファイルとして取扱うことが可能となる。
【０１１３】
請求項６記載の発明によれば、付加された関連情報によりその動画データファイルと時間的に連続した他の動画データファイルがあることを認識でき、再生時にそれを活用して１つの動画データファイルとして取扱うことが可能となる。
【図面の簡単な説明】
【図１】本発明の第１の実施の形態に係るデジタルカメラの外観構成を示す斜視図。
【図２】同実施の形態に係る電子カメラの構成を示すブロック図。
【図３】同実施の形態に係る動画撮影の処理内容を示すフローチャート。
【図４】同実施の形態に係る動画撮影によりメモリに記録された動画データファイルを例示する図。
【図５】同実施の形態に係る動画再生の処理内容を示すフローチャート。
【図６】同実施の形態に係る外部機器との接続時の処理内容を示すフローチャート。
【図７】同実施の形態に係る外部機器との接続構成を示す図。
【図８】本発明の第２の実施の形態に係る動画撮影の処理内容を示すフローチャート。
【符号の説明】
１…デジタルカメラ、２…撮影レンズ、３…セルフタイマランプ、４…光学ファインダ窓、５…マイクロホン部（ＭＩＣ）、６…ストロボ発光部、７…ラバーグリップ、８…電源キー、９…シャッタキー、１０…モードスイッチ（ＳＷ）、１１…スピーカ部（ＳＰ）、１２…メニューキー、１３…十字キー、１４…セットキー、１５…光学ファインダ、１６…ストロボチャージランプ、１７…表示部、２１…モータ（Ｍ）、２２…レンズ光学系、２３…ＣＣＤ、２４…タイミング発生器（ＴＧ）、２５…垂直ドライバ、２６…サンプルホールド回路（Ｓ／Ｈ）、２７…Ａ／Ｄ変換器、２８…カラープロセス回路、２９…ＤＭＡコントローラ、３０…ＤＲＡＭインタフェース（Ｉ／Ｆ）、３１…ＤＲＡＭ、３２…制御部、３３…ＶＲＡＭコントローラ、３４…ＶＲＡＭ、３５…デジタルビデオエンコーダ、３６…キー入力部、３７…ＪＰＥＧ回路、３８…メモリカード、３９…内蔵メモリ、４０…音声処理部、４１…ＵＳＢインタフェース（Ｉ／Ｆ）、４２…ストロボ駆動部、ＣＢ１，ＣＢ２…ＵＳＢケーブル、ＰＣ…パーソナルコンピュータ。
【図１】
2004328034.tif 000003
【図２】
2004328034.tif 000004
【図３】
2004328034.tif 000005
【図４】
2004328034.tif 000006
【図５】
2004328034.tif 000007
【図６】
2004328034.tif 000008
【図７】
2004328034.tif 000009
【図８】
2004328034.tif 000010